(57)【要約】【課題】本体部をパッドから取り外した時に、露出する２つの電極部の間に電位差が形成されることを防止可能な低周波治療器を得る。【解決手段】低周波治療器１は、パッド２、ホルダ３、本体部４を備える。本体部４は、本体部側電極部４３に接続された電気回路４５と、電気回路４５の一部を開閉するインターロック機構４６とを有する。ホルダ３は、インターロック機構４６を作動させるインターロックピン３３を有する。本体部４がホルダ３に取り付けられていない状態では、インターロックピン３３はインターロック機構４６から離間し、インターロック機構４６は電気回路４５を開状態とする。本体部４がホルダ３に取り付けられている状態では、本体部側電極部４３はパッド側電極部２２に当接して導通し、インターロックピン３３はインターロック機構４６を作動させ、インターロック機構４６は電気回路４５を閉状態とする。【選択図】図４
2018000782.tif 000002
【特許請求の範囲】
【請求項１】
パッド側電極部を表面上に有するパッドと、
前記パッドを保持するホルダと、
前記ホルダに着脱可能に取り付けられる本体部と、を備え、
前記本体部は、本体部側電極部と、前記本体部側電極部に接続された電気回路と、前記電気回路の一部を開閉するインターロック機構と、を有し、
前記ホルダは、前記インターロック機構を作動させるインターロックピンを有し、
前記本体部が前記ホルダに取り付けられていない状態では、前記インターロックピンは前記インターロック機構から離間し、前記インターロック機構は前記電気回路を開状態としており、
前記本体部が前記ホルダに取り付けられている状態では、前記本体部側電極部は前記パッド側電極部に当接して導通し、前記インターロックピンは前記インターロック機構を作動させ、前記インターロック機構は前記電気回路を閉状態としている、
低周波治療器。
【請求項２】
前記電気回路は、離間して配置された一対の接点部を有し、
前記インターロック機構は、一対の前記接点部に当接することでこれらを導通させる導電部と、一対の前記接点部から遠ざかる方向に前記導電部を付勢する付勢部と、を含み、
前記本体部が前記ホルダに取り付けられている状態では、前記インターロックピンが前記付勢部の付勢力に抗して前記導電部を一対の前記接点部に当接させている、
請求項１に記載の低周波治療器。
【請求項３】
前記本体部は、前記ホルダに対向する面である下面を有し、
前記下面は、前記インターロックピンが挿通される貫通孔を有し、
前記本体部の内部には、前記貫通孔を封止する封止部材が配置されており、
前記導電部は、前記封止部材に設けられている、
請求項２に記載の低周波治療器。
【請求項４】
前記導電部は、二色成型によって前記封止部材に一体的に設けられている、
請求項３に記載の低周波治療器。
【請求項５】
前記付勢部は、前記封止部材に一体的に設けられている、
請求項３または４に記載の低周波治療器。
【請求項６】
前記貫通孔から見て前記本体部の内部の側には、筒状の形状を有する筒状部が設けられており、前記筒状部の内側空間は前記貫通孔に連通しており、
前記封止部材は、
前記本体部の内部において前記筒状部の周囲を囲うように配置される周壁部と、
前記筒状部の内側において進退移動可能な柱状部と、を含み、
前記導電部は、一対の前記接点部に対向するように前記柱状部の端部に設けられており、
前記付勢部は、前記周壁部と前記柱状部とを接続し、一対の前記接点部から前記導電部が遠ざかるように前記柱状部を付勢している、
請求項３から５のいずれか１項に記載の低周波治療器。
【請求項７】
低周波治療器に備えられる、低周波治療器用の本体部であって、
前記低周波治療器は、パッド側電極部を表面上に有するパッドと、前記パッドを保持するホルダと、を含み、
前記本体部は、前記ホルダに着脱可能に取り付けられ、
前記本体部は、本体部側電極部と、前記本体部側電極部に接続された電気回路と、前記電気回路の一部を開閉するインターロック機構と、を有し、
前記ホルダは、前記インターロック機構を作動させるインターロックピンを有し、
前記本体部が前記ホルダに取り付けられていない状態では、前記インターロックピンは前記インターロック機構から離間し、前記インターロック機構は前記電気回路を開状態としており、
前記本体部が前記ホルダに取り付けられている状態では、前記本体部側電極部は前記パッド側電極部に当接して導通し、前記インターロックピンは前記インターロック機構を作動させ、前記インターロック機構は前記電気回路を閉状態としている、
低周波治療器用の本体部。
【請求項８】
パッド側電極部を表面上に有するパッドと、前記パッドを保持するホルダとを含む、低周波治療器用のパッドとホルダとの組み合わせであって、
前記ホルダには、低周波治療器の本体部が着脱可能に取り付けられ、
前記本体部は、本体部側電極部と、前記本体部側電極部に接続された電気回路と、前記電気回路の一部を開閉するインターロック機構と、を有し、
前記ホルダは、前記インターロック機構を作動させるインターロックピンを有し、
前記本体部が前記ホルダに取り付けられていない状態では、前記インターロックピンは前記インターロック機構から離間し、前記インターロック機構は前記電気回路を開状態としており、
前記本体部が前記ホルダに取り付けられている状態では、前記本体部側電極部は前記パッド側電極部に当接して導通し、前記インターロックピンは前記インターロック機構を作動させ、前記インターロック機構は前記電気回路を閉状態としている、
低周波治療器用のパッドとホルダとの組み合わせ。
【発明の詳細な説明】
【技術分野】
【０００１】
本発明は、低周波治療器に関する。
【背景技術】
【０００２】
低周波治療器は、パッドを通して使用者の身体に低周波パルス電流を供給することで、たとえば肩凝り等をほぐすことができる。
【０００３】
特許文献１（特開平０６−３３９５３１号公報）に開示された低周波治療器においては、治療器本体が上半部分と下半部分とから構成され、上半部分と下半部分との間にパッドが配置される。上半部分には、一対の接続端子が設けられており、下半部分にも、一対の接続端子が設けられている。上半部分を下半部分に組み付けることで、上半部分に設けられた一対の接続端子と下半部分に設けられた一対の接続端子とが導通する。
【０００４】
特許文献２（実開平０５−０４８９５５号公報）に開示された低周波治療器においては、治療器本体が本体部と電池ケースとから構成され、電池ケースはパッドに予め取り付けられている。本体部には、一対の電池接続金具が設けられており、電池ケースには電源が内蔵されており、パッドには、上記電源の正極端子と負極端子とが取り付けられている。本体部を電池ケースおよびパッドに組み付けることで、本体部に設けられた一対の電池接続金具とパッドに設けられた正極端子と負極端子とが導通する。
【先行技術文献】
【特許文献】
【０００５】
【特許文献１】特開平０６−３３９５３１号公報
【特許文献２】実開平０５−０４８９５５号公報
【発明の概要】
【発明が解決しようとする課題】
【０００６】
特許文献１（特開平０６−３３９５３１号公報）に開示された低周波治療器においては、上半部分を下半部分（パッド）から分離した際に、一対の接続端子が露出する。特許文献２（実開平０５−０４８９５５号公報）に開示された低周波治療器においても、本体部を電池ケース（パッド）から分離した際に、電源の正極端子および負極端子が露出する。
【０００７】
特許文献１，２における低周波治療器においては、本体部をパッドから取り外した時に、露出した２つの電極部（端子）の間に電位差が形成される。したがって、低周波治療器において本来的に予定されている使用形態とは異なる形態で２つの電極部は導通可能な余地を有しており、２つの電極部が導通した場合に、電力が意図しない形で消費される可能性がある。
【０００８】
本発明は、上記のような実情に鑑みて創作されたものであって、本体部をパッドから取り外した時に、露出する２つの電極部の間に電位差が形成されることを防止可能な低周波治療器、低周波治療器用の本体部、および、低周波治療器用のパッドとホルダとの組み合わせを提供することを目的とする。
【課題を解決するための手段】
【０００９】
本発明に基づく低周波治療器は、パッド側電極部を表面上に有するパッドと、上記パッドを保持するホルダと、上記ホルダに着脱可能に取り付けられる本体部と、を備え、上記本体部は、本体部側電極部と、上記本体部側電極部に接続された電気回路と、上記電気回路の一部を開閉するインターロック機構と、を有し、上記ホルダは、上記インターロック機構を作動させるインターロックピンを有し、上記本体部が上記ホルダに取り付けられていない状態では、上記インターロックピンは上記インターロック機構から離間し、上記インターロック機構は上記電気回路を開状態としており、上記本体部が上記ホルダに取り付けられている状態では、上記本体部側電極部は上記パッド側電極部に当接して導通し、上記インターロックピンは上記インターロック機構を作動させ、上記インターロック機構は上記電気回路を閉状態としている。
【００１０】
上記低周波治療器において好ましくは、上記電気回路は、離間して配置された一対の接点部を有し、上記インターロック機構は、一対の上記接点部に当接することでこれらを導通させる導電部と、一対の上記接点部から遠ざかる方向に上記導電部を付勢する付勢部と、を含み、上記本体部が上記ホルダに取り付けられている状態では、上記インターロックピンが上記付勢部の付勢力に抗して上記導電部を一対の上記接点部に当接させている。
【００１１】
上記低周波治療器において好ましくは、上記本体部は、上記ホルダに対向する面である下面を有し、上記下面は、上記インターロックピンが挿通される貫通孔を有し、上記本体部の内部には、上記貫通孔を封止する封止部材が配置されており、上記導電部は、上記封止部材に設けられている。
【００１２】
上記低周波治療器において好ましくは、上記導電部は、二色成型によって上記封止部材に一体的に設けられている。
【００１３】
上記低周波治療器において好ましくは、上記付勢部は、上記封止部材に一体的に設けられている。
【００１４】
上記低周波治療器において好ましくは、上記貫通孔から見て上記本体部の内部の側には、筒状の形状を有する筒状部が設けられており、上記筒状部の内側空間は上記貫通孔に連通しており、上記封止部材は、上記本体部の内部において上記筒状部の周囲を囲うように配置される周壁部と、上記筒状部の内側において進退移動可能な柱状部と、を含み、上記導電部は、一対の上記接点部に対向するように上記柱状部の端部に設けられており、上記付勢部は、上記周壁部と上記柱状部とを接続し、一対の上記接点部から上記導電部が遠ざかるように上記柱状部を付勢している。
【００１５】
本発明に基づく低周波治療器用の本体部は、低周波治療器に備えられる、低周波治療器用の本体部であって、上記低周波治療器は、パッド側電極部を表面上に有するパッドと、上記パッドを保持するホルダと、を含み、上記本体部は、上記ホルダに着脱可能に取り付けられ、上記本体部は、本体部側電極部と、上記本体部側電極部に接続された電気回路と、上記電気回路の一部を開閉するインターロック機構と、を有し、上記ホルダは、上記インターロック機構を作動させるインターロックピンを有し、上記本体部が上記ホルダに取り付けられていない状態では、上記インターロックピンは上記インターロック機構から離間し、上記インターロック機構は上記電気回路を開状態としており、上記本体部が上記ホルダに取り付けられている状態では、上記本体部側電極部は上記パッド側電極部に当接して導通し、上記インターロックピンは上記インターロック機構を作動させ、上記インターロック機構は上記電気回路を閉状態としている。
【００１６】
本発明に基づく低周波治療器用のパッドとホルダとの組み合わせは、パッド側電極部を表面上に有するパッドと、上記パッドを保持するホルダとを含む、低周波治療器用のパッドとホルダとの組み合わせであって、上記ホルダには、低周波治療器の本体部が着脱可能に取り付けられ、上記本体部は、本体部側電極部と、上記本体部側電極部に接続された電気回路と、上記電気回路の一部を開閉するインターロック機構と、を有し、上記ホルダは、上記インターロック機構を作動させるインターロックピンを有し、上記本体部が上記ホルダに取り付けられていない状態では、上記インターロックピンは上記インターロック機構から離間し、上記インターロック機構は上記電気回路を開状態としており、上記本体部が上記ホルダに取り付けられている状態では、上記本体部側電極部は上記パッド側電極部に当接して導通し、上記インターロックピンは上記インターロック機構を作動させ、上記インターロック機構は上記電気回路を閉状態としている。
【発明の効果】
【００１７】
上記の構成によれば、本体部をパッドから取り外した時に、露出する２つの電極部の間に電位差が形成されることを防止することが可能となる。
【図面の簡単な説明】
【００１８】
【図１】実施の形態における低周波治療器１を示す斜視図である。
【図２】実施の形態における低周波治療器１に備えられる本体部４をホルダ３およびパッド２から分離した状態を示す斜視図である。
【図３】図１中のＩＩＩ−ＩＩＩ線に沿った矢視断面図である。
【図４】図２中のＩＶ−ＩＶ線に沿った矢視断面図である。
【図５】実施の形態における低周波治療器１に備えられる一対の接点部４５ａ，４５ｂと、これらを導通させるための導電部４７との位置関係を模式的に示す平面図である。
【発明を実施するための形態】
【００１９】
実施の形態について、以下、図面を参照しながら説明する。同一の部品および相当部品には同一の参照番号を付し、重複する説明は繰り返さない場合がある。以下の説明の中で上下方向に関して言及する場合、その上下方向は図１に示した低周波治療器１における上下方向に相当している。
【００２０】
図１は、実施の形態における低周波治療器１を示す斜視図である。図２は、低周波治療器１に備えられる本体部４をホルダ３およびパッド２から分離した状態を示す斜視図である。図３は、図１中のＩＩＩ−ＩＩＩ線に沿った矢視断面図であり、図４は、図２中のＩＶ−ＩＶ線に沿った矢視断面図である。
【００２１】
（低周波治療器１）
図１および図２に示すように、低周波治療器１は、いわゆるコードレスタイプの低周波治療器であり、パッド２、ホルダ３、本体部４を備える。
【００２２】
（パッド２）
パッド２は、シート状の形状を有し、使用者の身体に取り付けられる。パッド２の外表面のうち、身体に対向する身体側部２１の表面（下面）には、導電層２ａが設けられる。パッド２は、導電性のゲルＧ（図３，４参照）等を使用して使用者の皮膚上に貼り付けられ、導電層２ａを通して使用者に低周波パルス電流が供給される。
【００２３】
図２に示すように、パッド２は、取付部２Ｘおよび治療部２Ｙを有する。取付部２Ｘは、ホルダ３によって保持される。取付部２Ｘには、窓部２３および貫通孔２Ｈが設けられている。窓部２３の内側には、後述するホルダ３の位置決め突起３１２が配置される。貫通孔２Ｈには、後述するホルダ３のインターロックピン３３が挿通される。治療部２Ｙは、取付部２Ｘの左右両外側に設けられ、治療部２Ｙの身体側部２１には導電層２ａが露出している。
【００２４】
導電層２ａは、取付部２Ｘにおける本体部４に対向する表面にも露出しており、この露出部分がパッド側電極部２２を構成する。パッド側電極部２２は、本体部側電極部４３との電気的接続のために形成されており、取付部２Ｘの一端に、一方の電極部（たとえば＋極）に対応した導電層２ａが露出しており、取付部２Ｘの他端に、他方の電極部（たとえば−極）に対応した導電層２ａが露出している。
【００２５】
（ホルダ３）
図２に示すように、ホルダ３は、板状の形状を有するパッド保持部３１と、パッド保持部３１の両端から起立する一対の壁部３２とを備える。パッド保持部３１の上面３１１に、パッド２の取付部２Ｘが配置される。上面３１１と取付部２Ｘとの間には、必要に応じて、両面粘着テープ、のり、接着剤などが配置される。
【００２６】
パッド保持部３１には、位置決め突起３１２が設けられている。パッド２に設けられた窓部２３の内周縁を位置決め突起３１２に合わせることで、ホルダ３に対してパッド２が位置決めされる。パッド保持部３１の中央には、インターロックピン３３も設けられる。パッド２をホルダ３に取り付ける際、インターロックピン３３は貫通孔２Ｈの中に挿通される（図３，図４も参照）。詳細は後述するが、インターロックピン３３は、インターロック機構４６（図３，図４）を作動させるためのものである。
【００２７】
パッド２は消耗品であるので、交換の際には、パッド２は本体部４に対して着脱可能とされている。本実施の形態では、ホルダ３がパッド２を保持することで両者が一体となっており、パッド２およびホルダ３に対して本体部４を着脱するよう構成されている。パッド２はホルダ３ごと交換されるが、必要に応じてホルダ３を再利用することも不可能ではない。
【００２８】
（本体部４）
図１および図２に示すように、本体部４は、略直方体の形状を有するケース４ａを外装体として含んでいる。ケース４ａとホルダ３との間には、誘導係合部５（図１）が形成されており、本体部４（ケース４ａ）は、ホルダ３に着脱可能に取り付けられる。誘導係合部５は、ケース４ａの側面４１に形成された突起５１（図２）と、ホルダ３の壁部３２に形成された溝部５２（図２）とから構成される。
【００２９】
図２に示すように、溝部５２は、縦溝部５２１と横溝部５２２とを含む。縦溝部５２１は、縦方向に形成され、上方が開口している。横溝部５２２は、横方向に形成され、両端が開口している。突起５１および溝部５２は、本体部４をホルダ３に取り付ける際には、両者が正対する方向に両者が接近移動して係合に至る。ホルダ３に対して本体部４を回転移動させることで、両者の係合が解除され、本体部４をホルダ３から取り外すことができる。
【００３０】
図２〜図４を参照して、本体部４は、ホルダ３に取り付けられた状態で、パッド２の導電層２ａに低周波パルス電流を供給する。具体的には、本体部４は、一対の本体部側電極部４３、基板４４（図３，図４）、電気回路４５、および、インターロック機構４６を備える。電気回路４５は、低周波パルス電流を形成するための各種の制御機器を含み、基板４４の表面上に実装されている。
【００３１】
詳細は後述するが、インターロック機構４６は、電気回路４５の一部（接点部４５ａ，４５ｂ）を開閉することができる。基板４４、電気回路４５、インターロック機構４６は、本体部４（ケース４ａ）内部に設けられる。本体部４（ケース４ａ）内部には、図示しない電源（バッテリ）なども設けられる。ケース４ａの外部には、スイッチ４８Ｓ（図２）や、図示しない表示部などが設けられる。
【００３２】
図２〜図４を参照して、本体部４のケース４ａは、ホルダ３に対向する面である下面４２（図２）を有し、下面４２から、一対の本体部側電極部４３が突出している。一対の本体部側電極部４３の各々は、電極体４３１および電極付勢部４３２を有する。電気回路４５は、電極付勢部４３２を介して（あるいは電極付勢部４３２を介することなく）電極体４３１に導通している。電極体４３１は、下面４２に対して進退可能であり、電極付勢部４３２は、電極体４３１を下面４２から突出する方向に付勢している。
【００３３】
電極体４３１は、略円柱状の形状を有し、その外周面には鍔部４３１１が設けられる。鍔部４３１１とケース４ａの内表面４ｕとの間に、電極付勢部４３２が配置される。鍔部４３１１に対して電極付勢部４３２が設けられる側とは反対側には、Ｏリング４３１２が配置される。鍔部４３１１がＯリング４３１２を介してケース４ａの内表面４ｔに当接することにより、電極体４３１の突出が規制される。
【００３４】
本体部４がホルダ３に取り付けられた状態では（図４）、本体部側電極部４３（電極体４３１）の先端部がパッド側電極部２２に当接する。これにより、本体部側電極部４３とパッド側電極部２２とが導通し、ひいては、電気回路４５はパッド側電極部２２に低周波パルス電流を供給可能となる。
【００３５】
（インターロック機構４６）
図３および図４を参照して、本体部４のケース４ａの下面４２は、貫通孔４２Ｈを有している。貫通孔４２Ｈには、ホルダ３に設けられたインターロックピン３３が挿通される。本実施の形態では、貫通孔４２Ｈから見て本体部４（ケース４ａ）の内部の側に、筒状の形状を有する筒状部４２Ｔが設けられており、筒状部４２Ｔの内側空間は、貫通孔４２Ｈに連通している。
【００３６】
上述のとおり、本体部４（ケース４ａ）の内部には、基板４４や電気回路４５が設けられる。電気回路４５は、離間して配置された一対の接点部４５ａ，４５ｂを有している。一対の接点部４５ａ，４５ｂは、後述する導電部４７によって導通されるものであるが、一対の接点部４５ａ，４５ｂが導通していない状態では、電気回路４５は開状態とされ、２つの本体部側電極部４３の間に電位差が形成されることはない。
【００３７】
具体的には、本体部４（ケース４ａ）の内部には、基板４４や電気回路４５に加えて、導電部４７および封止部材４８も配置される。封止部材４８は、下面４２に設けられた貫通孔４２Ｈを封止し、防水性、防湿性、防塵性などを担保する。本実施の形態の封止部材４８は、付勢部４８ａ、柱状部４８ｂ、周壁部４８ｃを含む。周壁部４８ｃは、本体部４の内部において、筒状部４２Ｔの周囲を囲うように配置される。柱状部４８ｂは、筒状部４２Ｔの内側において進退移動可能なように配置される。
【００３８】
図５は、一対の接点部４５ａ，４５ｂと、これらを導通させるための導電部４７との位置関係を模式的に示す平面図である。図３〜図５を参照して、導電部４７は、貫通孔４２Ｈを封止するための封止部材４８に設けられている。本実施の形態では、導電部４７は、一対の接点部４５ａ，４５ｂに対向するように、柱状部４８ｂの端部に設けられている。導電部４７（たとえばカーボン）は、二色成型によって、封止部材４８に一体的に設けることが可能である。
【００３９】
付勢部４８ａは、封止部材４８の構成要素の一つとして、封止部材４８の中に周壁部４８ｃおよび柱状部４８ｂと一体的に設けられており、周壁部４８ｃと柱状部４８ｂとを接続している。付勢部４８ａは、一対の接点部４５ａ，４５ｂから導電部４７が遠ざかるように柱状部４８ｂを付勢している。
【００４０】
本実施の形態においては、少なくとも、導電部４７と付勢部４８ａとによって、インターロック機構４６が構成されている。すなわち、インターロック機構４６は、一対の接点部４５ａ，４５ｂに当接することでこれらを導通させる導電部４７と、一対の接点部４５ａ，４５ｂから遠ざかる方向に導電部４７を付勢する付勢部４８ａとを含み、本体部４がホルダ３に取り付けられている状態では（図４）、インターロックピン３３が付勢部４８ａの付勢力に抗して導電部４７を一対の接点部４５ａ，４５ｂに当接させている。
【００４１】
概括すると、本体部４がホルダ３に取り付けられていない状態では（図３に示す状態では）、インターロックピン３３はインターロック機構４６から離間し、インターロック機構４６は電気回路４５を開状態としており、本体部４がホルダ３に取り付けられている状態では、本体部側電極部４３はパッド側電極部２２に当接して導通し、インターロックピン３３はインターロック機構４６を作動させ、インターロック機構４６は電気回路４５を閉状態としている。これにより、本体部４は、パッド２の導電層２ａに低周波パルス電流を供給することが可能となる。
【００４２】
（作用および効果）
本体部４がホルダ３およびパッド２に取り付けられていない状態では、導電部４７は、一対の接点部４５ａ，４５ｂに当接しておらず、一対の接点部４５ａ，４５ｂは導通していない。この状態では、電気回路４５は開状態とされ、２つの本体部側電極部４３の間に電位差が形成されることはない。
【００４３】
低周波治療器１においては、ホルダ３のインターロックピン３３が本体部４の貫通孔４２Ｈに挿通された状態で、低周波治療器１が使用されることが予定されている。低周波治療器１においては、本来的に予定されている使用形態とは異なる形態では、すなわち本体部４をホルダ３から分離した状態では、２つの本体部側電極部４３の間に電位差が形成されることは防止されており、２つの本体部側電極部４３は導通可能な余地をほとんど（あるいはまったく）有していない。したがって、電力が意図しない形で消費される可能性もほとんど（あるいはまったく）ない。
【００４４】
（他の構成）
上述の実施の形態では、電気回路４５が一対の接点部４５ａ，４５ｂを有しており、インターロックピン３３がインターロック機構４６（付勢部４８ａ）の付勢力に抗して導電部４７を一対の接点部４５ａ，４５ｂに当接させるという構成が採られている。インターロック機構４６がメカニカルな構造によって実現されるという構成は必須の構成ではなく、たとえば、インターロック機構４６は、ソフトウェアによる処理や、メカニカルな構造およびソフトウェアによる処理を組み合わせることによって実現されていてもよい。たとえば、本体部４がホルダ３に取り付けられている状態では、インターロックピン３３が所定のスイッチを動作させることでソフトウェアによる処理が実行され、電気回路４５を閉状態とすることができる。
【００４５】
上記の実施の形態では、本体部４の内部にインターロック機構４６が設けられており、インターロックピン３３を挿通するための貫通孔４２Ｈが本体部４に設けられており、貫通孔４２Ｈにインターロックピン３３が挿通されることで、インターロック機構４６が作動する。このような構成に限られず、インターロック機構４６は、本体部４の外部に設けられていてもよい。上記の実施の形態では、本体部４の内部に貫通孔４２Ｈを封止する封止部材４８が配置されているが、封止機能は必要に応じて設けられることができるものであって、封止部材４８の代わりに、付勢部４８ａをコイルバネなどから構成し、コイルバネと導電部４７とでインターロック機構４６を構成してもよい。
【００４６】
上記の実施の形態では、導電部４７は、二色成型によって封止部材４８に一体的に設けられている。このような構成に限られず、導電部４７は、接着剤や溶着などによって封止部材４８に接合されていてもよい。
【００４７】
上記の実施の形態では、付勢部４８ａが、封止部材４８に柱状部４８ｂや周壁部４８ｃと一体的に設けられているが、この構成も必須ではない。付勢部４８ａは、柱状部４８ｂや周壁部４８ｃとは別部材として準備した後に、柱状部４８ｂや周壁部４８ｃに接合してもよい。
【００４８】
上記の実施の形態では、貫通孔４２Ｈから見て本体部４の内部の側に、筒状部４２Ｔが設けられている。筒状部４２Ｔは、必要に応じて本体部４に設けられているとよい。筒状部４２Ｔが本体部４に設けられていない場合には、封止部材４８の周壁部４８ｃも、必要に応じて封止部材４８に設けられているとよい。封止部材４８は、柱状部４８ｂを有しているが、柱状部４８ｂの代わりに、円盤形状（ダイアフラムのようなもの）を有していてもよい。
【００４９】
以上、実施の形態について説明したが、上記の開示内容はすべての点で例示であって制限的なものではない。本発明の技術的範囲は特許請求の範囲によって示され、特許請求の範囲と均等の意味および範囲内でのすべての変更が含まれることが意図される。
【符号の説明】
【００５０】
１  低周波治療器、２  パッド、２Ｈ，４２Ｈ  貫通孔、２Ｘ  取付部、２Ｙ  治療部、２ａ  導電層、３  ホルダ、４  本体部、４ａ  ケース、４ｔ，４ｕ  内表面、５  誘導係合部、２１  身体側部、２２  パッド側電極部、２３  窓部、３１  パッド保持部、３２  壁部、３３  インターロックピン、４１  側面、４２  下面、４２Ｔ  筒状部、４３  本体部側電極部、４４  基板、４５  電気回路、４５ａ，４５ｂ  接点部、４６  インターロック機構、４７  導電部、４８  封止部材、４８Ｓ  スイッチ、４８ａ  付勢部、４８ｂ  柱状部、４８ｃ  周壁部、５１  突起、５２  溝部、３１１  上面、３１２  位置決め突起、４３１  電極体、４３２  電極付勢部、５２１  縦溝部、５２２  横溝部、４３１１  鍔部、４３１２  Ｏリング、Ｇ  ゲル。
【図１】
2018000782.tif 000003
【図２】
2018000782.tif 000004
【図３】
2018000782.tif 000005
【図４】
2018000782.tif 000006
【図５】
2018000782.tif 000007